【手続補正書】
【提出日】令和3年9月7日(2021.9.7)
【手続補正１】
【補正対象書類名】特許請求の範囲
【補正対象項目名】全文
【補正方法】変更
【補正の内容】
【特許請求の範囲】
【請求項１】
移転デバイスであって、前記移転デバイスは、
筐体であって、前記筐体は、
第１および第２の対向している端部に結合された第１および第２の対向している側部であって、前記端部は、前記筐体が前記第１の側部に近接した第１の表面と前記第２の側部に近接した第２の表面との間の距離に及ぶように寸法を決定されている、第１および第２の対向している側部と、
前記第１および第２の対向している側部と前記第１および第２の対向している端部とに取り付けられたパネルであって、前記パネルは、構造剛性を前記筐体に提供する円周補強部を有する、パネルと
を備えている、筐体と、
少なくとも部分的に前記筐体内に位置付けられ、それに結合されたデッキと、
前記デッキ周りの運動のために配置された連続ベルトと
を備え、
前記連続ベルトは、前記筐体の第１の側部における第１の表面から前記筐体の第２の側部における第２の表面に身体を移すように構成されており、
前記パネルは、前記筐体の底部上に配置された水平基部を画定する基部構造を備え、
前記円周補強部は、前記筐体の前記基部の周辺の周りに延びている統合された垂直側壁を備え、
前記統合された垂直側壁は、前記筐体の前記第１および第２の対向している側部と前記第１および第２の対向している端部とに取り付けられている、移転デバイス。
【請求項２】
前記筐体の外部からアクセス可能でない複数の水平に向けられた留め具をさらに備え、前記留め具は、前記パネルと、前記筐体の前記第１および第２の対向している側部と、前記筐体の前記第１および第２の対向している端部とを一緒に接合している、請求項１に記載の移転デバイス。
【請求項３】
前記筐体の前記第１および第２の側部の各々は、集中する上部および底部斜面を有する輪郭が付けられた縁領域を備え、前記集中する上部および底部斜面は、前記第１の表面から前記第２の表面への前記身体の移転における前記身体との人間工学的相互作用のために選択されており、前記筐体の前記第１および第２の側部の各々は、摩擦を提供し、前記身体の移転中、前記移転デバイスを前記第１および第２の表面のうちの少なくとも１つに対して実質的に静止した状態に保つ表面処理または材料をさらに備えている、請求項１に記載の移転デバイス。
【請求項４】
前記筐体の外部周辺を流体または異物の進入からシールするガスケットをさらに備え、前記筐体の外部周辺は、流体シールを備えている、請求項１に記載の移転デバイス。
【請求項５】
前記連続ベルトは、前記デッキの周りに双方向運搬関係に配置され、前記連続ベルトは、移転シートを前記筐体の中に挿入するための１つの方向と、前記身体を前記筐体の前記第１の側部における前記第１の表面から前記筐体の前記第２の側部における前記第２の表面に移すための反対方向とにおける運動のために構成されている、請求項１に記載の移転デバイス。
【請求項６】
１つ以上の耐衝撃性角部材をさらに備え、前記１つ以上の耐衝撃性角部材は、それに入射する衝撃エネルギーを前記筐体の中に消散させるように適合され、前記耐衝撃性角部材は、前記筐体の１つ以上の角に配置されたエラストマ構成要素を備えている、請求項１に記載の移転デバイス。
【請求項７】
前記デッキの第１および第２の側部に沿って延びている第１および第２の細長いローラをさらに備え、前記第１および第２の細長いローラは、前記デッキの過剰なたわみに起因する前記第１および第２の細長いローラと前記デッキの前記第１および第２の側部との間の接触を低減させる距離だけ、前記デッキの前記第１および第２の側部から間隔を置かれている、請求項１に記載の移転デバイス。
【請求項８】
前記デッキは、実質的に対称である上部および底部主表面を備え、前記デッキは、前記筐体の端部フレーム部材からの解放および除去のために、前記筐体の前記端部フレーム部材に取り付け可能であり、
前記デッキは、前記実質的に対称である上部および底部主表面に関して、かつ前記端部フレーム部材に関して、前記筐体内での配置において表裏兼用である、請求項１に記載の移転デバイス。
【請求項９】
前記デッキは、実質的に連続した上部および底部表面を備え、前記上部または底部表面のいずれにおいても、アクセス可能な機械的留め具またはデッキアセンブリハードウェアを欠いている、請求項１に記載の移転デバイス。
【請求項１０】
前記デッキは、前記上部および底部表面を画定する押し出し成形されたポリマーデッキ本体を備えているか、または、
前記デッキは、前記デッキの前記上部および底部表面を画定するための一緒に結合された２つの実質的に対称であるパネル構造を備え、複数の統合された構造リブ部材が、前記２つの実質的に対称であるパネル構造間に延びている、請求項９に記載の移転デバイス。
【請求項１１】
前記連続ベルトの内側部分上に配置された低摩擦表面材料であって、前記低摩擦表面材料は、前記連続ベルトの内側部分と前記デッキの上部表面との間の摩擦を低減させるように選択されている、低摩擦表面材料と、
前記連続ベルトの露出表面上に配置された１つ以上の視覚的整列ガイドであって、前記１つ以上の視覚的整列ガイドは、前記ベルト上に設置され、前記身体を前記連続ベルト上で移すために適合された移転シートの整列を誘導するように構成されている、１つ以上の視覚的整列ガイドと、
前記連続ベルトの１つ以上の外側縁上の補強構造であって、前記縁は、摩滅に抵抗し、前記連続ベルトを前記デッキに対して定位置に維持するための緊張を提供するように適合されている、補強構造と
のうちの１つ以上のものをさらに備えている、請求項１に記載の移転デバイス。
【請求項１２】
前記連続ベルトの内側表面および前記デッキの外側表面の一方または両方上のテクスチャ加工をさらに備え、前記テクスチャ加工は、前記連続ベルトの内側表面と前記デッキの外側表面との間の接触の表面積を低減させ、それによって、前記連続ベルトと前記デッキとの間の摩擦を低減させるように選択されている、請求項１に記載の移転デバイス。
【請求項１３】
前記筐体の組立のために適合された複数の機械的接続点をさらに備え、前記機械的接続点は、前記筐体の外部からアクセス不可能な前記筐体の内部表面に沿って配置され、前記移転デバイスは、組み立てられると、前記移転デバイスの外側に露出された機械的留め具構成要素を有していない、請求項１に記載の移転デバイス。
【請求項１４】
前記パネルと前記筐体との間の１つ以上の外部に露出された継ぎ目に沿って配置された１つ以上のガスケットをさらに備え、前記ガスケットは、前記筐体を流体および汚染物質進入に対してシールするように適合されている、請求項１に記載の移転デバイス。
【請求項１５】
身体を第１の表面から第２の表面に移す方法であって、前記方法は、
前記第１の表面と前記第２の表面との間の距離に移転デバイスを架け渡すことであって、前記移転デバイスは、
第１および第２の対向している端部に結合された第１および第２の対向している側部を伴う筐体であって、前記第１の表面は、前記第１の側部に近接し、前記第２の表面は、前記第２の側部に近接している、筐体と、
前記第１および第２の対向している側部と前記第１および第２の対向している端部とに結合された円周補強部を有するパネルであって、前記円周補強部は、前記身体が装填されているときの前記移転デバイスに構造剛性を提供する、パネルと、
デッキの周りに配置された連続ベルトであって、前記デッキは、少なくとも部分的に前記筐体内に位置付けられ、前記筐体によって支持されている、連続ベルトと
を備えている、ことと、
前記身体を前記連続ベルト上で前記第１の表面から前記第２の表面に移すことと
を含み、
前記身体は、前記デッキによって前記距離をまたいで支持されており、
前記パネルは、前記筐体の底部上に配置された水平基部を画定する基部構造を備え、前記円周補強部は、前記筐体の前記基部の周辺の周りに延びている統合された垂直側壁を備え、前記統合された垂直側壁は、前記筐体の前記第１および第２の対向している側部と前記第１および第２の対向している端部とに取り付けられている、方法。
【請求項１６】
前記パネルの底部上に画定された摩擦表面に沿って前記第１および第２の表面と接触して前記移転デバイスを位置付けることをさらに含み、前記摩擦表面は、前記身体を移す間、前記移転デバイスの位置を前記第１および第２の表面に対して維持するように適合されている、請求項１５に記載の方法。
【請求項１７】
シート材を前記連続ベルトに取り付け、前記シート材の一部を前記連続ベルト上で前記筐体の中に挿入することをさらに含み、前記身体は、前記身体を移す間、前記デッキによって、前記連続ベルトに取り付けられた前記シート材上に支持されている、請求項１５に記載の方法。
【請求項１８】
前記デッキを前記筐体から除去することと、前記デッキの向きを逆転させることと、少なくとも部分的に前記筐体内に前記デッキを再位置付けし、前記筐体によって支持されることとをさらに含み、前記デッキの上部および底部表面、対向している側部、または対向している端部は、逆転されている、請求項１７に記載の方法。
【請求項１９】
第１および第２の細長いローラを前記連続ベルト内に係合することであって、前記第１および第２のローラは、前記デッキの対向している端部からその中央部分へ増加する許容差だけ、前記デッキの対向している側部から間隔を置かれている、ことと、
前記ベルトを前記第１および第２の細長いローラと回転係合させることと
をさらに含み、
前記許容差は、前記第１の表面から前記第２の表面に前記デッキによって支持された前記身体を移す間、前記細長いローラのたわみ時の前記細長いローラと前記デッキの前記対向している側部との間のクリアランスを維持する、請求項１５に記載の方法。
【手続補正２】
【補正対象書類名】明細書
【補正対象項目名】０００７
【補正方法】変更
【補正の内容】
【０００７】
本明細書に説明される種々の実施例および実施形態は、病院の手術室、ならびに他の臨床、実験室、検査、治療、搬送、および回復環境において、表面間、例えば、ベッド、ストレッチャー、または他の場所間で患者もしくは他者の身体を移すための患者移転デバイスに関する。
本願明細書は、例えば、以下の項目も提供する。
（項目１）
移転デバイスであって、前記移転デバイスは、
筐体であって、前記筐体は、
第１および第２の対向している端部に結合された第１および第２の対向している側部であって、前記端部は、前記筐体が前記第１の側部に近接した第１の表面と前記第２の側部に近接した第２の表面との間の距離に及ぶように寸法を決定されている、第１および第２の対向している側部と、
前記第１および第２の対向している側部と前記第１および第２の対向している端部とに取り付けられたパネルであって、前記パネルは、構造剛性を前記筐体に提供する円周補強部を有する、パネルと
を備えている、筐体と、
少なくとも部分的に前記筐体内に位置付けられ、それに結合されたデッキと、
前記デッキ周りの運動のために配置された連続ベルトと
を備え、
前記連続ベルトは、前記筐体の第１の側部における第１の表面から前記筐体の第２の側部における第２の表面に身体を移すように構成されている、移転デバイス。
（項目２）
前記パネルは、前記筐体の底部上に配置された水平基部を画定する基部構造を備え、
前記円周補強部は、前記筐体の基部の周辺の周りに延びている垂直側壁を備え、
前記垂直側壁は、前記筐体の前記第１および第２の対向している側部と前記第１および第２の対向している端部とに取り付けられている、項目１に記載の移転デバイス。
（項目３）
前記筐体の外部からアクセス可能でない複数の水平に向けられた留め具をさらに備え、前記留め具は、前記パネルと、前記筐体の前記第１および第２の対向している側部と、前記筐体の前記第１および第２の対向している端部とを一緒に接合している、項目１に記載の移転デバイス。
（項目４）
前記筐体の前記第１および第２の側部の各々は、集中する上部および底部斜面を有する輪郭が付けられた縁領域を備え、前記集中する上部および底部斜面は、前記第１の表面から前記第２の表面への前記身体の移転における前記身体との人間工学的相互作用のために選択されており、前記筐体の前記第１および第２の側部の各々は、摩擦を提供し、前記身体の移転中、前記移転デバイスを前記第１および第２の表面のうちの少なくとも１つに対して実質的に静止した状態に保つ表面処理または材料をさらに備えている、項目１に記載の移転デバイス。
（項目５）
前記筐体の外部周辺を流体または異物の進入からシールするガスケットをさらに備え、前記筐体の外部周辺は、流体シールを備えている、項目１に記載の移転デバイス。
（項目６）
前記連続ベルトは、前記デッキの周りに双方向運搬関係に配置され、前記連続ベルトは、移転シートを前記筐体の中に挿入するための１つの方向と、前記身体を前記筐体の前記第１の側部における前記第１の表面から前記筐体の前記第２の側部における前記第２の表面に移すための反対方向とにおける運動のために構成されている、項目１に記載の移転デバイス。
（項目７）
１つ以上の耐衝撃性角部材をさらに備え、前記１つ以上の耐衝撃性角部材は、それに入射する衝撃エネルギーを前記筐体の中に消散させるように適合され、前記耐衝撃性角部材は、前記筐体の１つ以上の角に配置されたエラストマ構成要素を備えている、項目１に記載の移転デバイス。
（項目８）
前記デッキの第１および第２の側部に沿って延びている第１および第２の細長いローラをさらに備え、前記第１および第２の細長いローラは、前記デッキの過剰なたわみに起因する前記第１および第２の細長いローラと前記デッキの前記第１および第２の側部との間の接触を低減させる距離だけ、前記デッキの前記第１および第２の側部から間隔を置かれている、項目１に記載の移転デバイス。
（項目９）
前記デッキは、実質的に対称である上部および底部主表面を備え、前記デッキは、前記筐体の端部フレーム部材からの解放および除去のために、前記筐体の前記端部フレーム部材に取り付け可能であり、
前記デッキは、前記実質的に対称である上部および底部主表面に関して、かつ前記端部フレーム部材に関して、前記筐体内での配置において表裏兼用である、項目１に記載の移転デバイス。
（項目１０）
前記デッキは、実質的に連続した上部および底部表面を備え、前記上部または底部表面のいずれにおいても、アクセス可能な機械的留め具またはデッキアセンブリハードウェアを欠いている、項目１に記載の移転デバイス。
（項目１１）
前記デッキは、前記上部および底部表面を画定する押し出し成形されたポリマーデッキ本体を備えているか、または、
前記デッキは、前記デッキの前記上部および底部表面を画定するための一緒に結合された２つの実質的に対称であるパネル構造を備え、複数の統合された構造リブ部材が、前記２つの実質的に対称であるパネル構造間に延びている、項目１０に記載の移転デバイス。
（項目１２）
前記連続ベルトの内側部分上に配置された低摩擦表面材料であって、前記低摩擦表面材料は、前記連続ベルトの内側部分と前記デッキの上部表面との間の摩擦を低減させるように選択されている、低摩擦表面材料と、
前記連続ベルトの露出表面上に配置された１つ以上の視覚的整列ガイドであって、前記１つ以上の視覚的整列ガイドは、前記ベルト上に設置され、前記身体を前記連続ベルト上で移すために適合された移転シートの整列を誘導するように構成されている、１つ以上の視覚的整列ガイドと、
前記連続ベルトの１つ以上の外側縁上の補強構造であって、前記縁は、摩滅に抵抗し、前記連続ベルトを前記デッキに対して定位置に維持するための緊張を提供するように適合されている、補強構造と
のうちの１つ以上のものをさらに備えている、項目１に記載の移転デバイス。
（項目１３）
前記連続ベルトの内側表面および前記デッキの外側表面の一方または両方上のテクスチャ加工をさらに備え、前記テクスチャ加工は、前記連続ベルトの内側表面と前記デッキの外側表面との間の接触の表面積を低減させ、それによって、前記連続ベルトと前記デッキとの間の摩擦を低減させるように選択されている、項目１に記載の移転デバイス。
（項目１４）
前記筐体の組立のために適合された複数の機械的接続点をさらに備え、前記機械的接続点は、前記筐体の外部からアクセス不可能な前記筐体の内部表面に沿って配置され、前記移転デバイスは、組み立てられると、前記移転デバイスの外側に露出された機械的留め具構成要素を有していない、項目１に記載の移転デバイス。
（項目１５）
前記パネルと前記筐体との間の１つ以上の外部に露出された継ぎ目に沿って配置された１つ以上のガスケットをさらに備え、前記ガスケットは、前記筐体を流体および汚染物質進入に対してシールするように適合されている、項目１に記載の移転デバイス。
（項目１６）
身体を第１の表面から第２の表面に移す方法であって、前記方法は、
前記第１の表面と前記第２の表面との間の距離に移転デバイスを架け渡すことであって、前記デバイスは、
第１および第２の対向している端部に結合された第１および第２の対向している側部を伴う筐体であって、前記第１の表面は、前記第１の側部に近接し、前記第２の表面は、前記第２の側部に近接している、筐体と、
前記第１および第２の対向している側部と前記第１および第２の対向している端部とに結合された円周補強部を有するパネルであって、前記円周補強部は、前記身体が装填されているときの前記移転デバイスに構造剛性を提供する、パネルと、
デッキの周りに配置された連続ベルトであって、前記デッキは、少なくとも部分的に前記筐体内に位置付けられ、前記筐体によって支持されている、連続ベルトと
を備えている、ことと、
前記身体を前記連続ベルト上で前記第１の表面から前記第２の表面に移すことと
を含み、
前記身体は、前記デッキによって前記距離をまたいで支持されている、方法。
（項目１７）
前記パネルの底部上に画定された摩擦表面に沿って前記第１および第２の表面と接触して前記移転デバイスを位置付けることをさらに含み、前記摩擦表面は、前記身体を移す間、前記移転デバイスの位置を前記第１および第２の表面に対して維持するように適合されている、項目１６に記載の方法。
（項目１８）
シート材を前記連続ベルトに取り付け、前記シート材の一部を前記連続ベルト上で前記筐体の中に挿入することをさらに含み、前記身体は、前記身体を移す間、前記デッキによって、前記連続ベルトに取り付けられた前記シート材上に支持されている、項目１６に記載の方法。
（項目１９）
前記デッキを前記筐体から除去することと、前記デッキの向きを逆転させることと、少なくとも部分的に前記筐体内に前記デッキを再位置付けし、前記筐体によって支持されることとをさらに含み、前記デッキの上部および底部表面、対向している側部、または対向している端部は、逆転されている、項目１８に記載の方法。
（項目２０）
第１および第２の細長いローラを前記連続ベルト内に係合することであって、前記第１および第２のローラは、前記デッキの対向している端部からその中央部分へ増加する許容差だけ、前記デッキの対向している側部から間隔を置かれている、ことと、
前記ベルトを前記第１および第２の細長いローラと回転係合させることと
をさらに含み、
前記許容差は、前記第１の表面から前記第２の表面に前記デッキによって支持された前記身体を移す間、前記細長いローラのたわみ時の前記細長いローラと前記デッキの前記対向している側部との間のクリアランスを維持する、項目１６に記載の方法。